(57)【要約】      （修正有）【課題】照明制御装置を提供する。【解決手段】スイッチ１及び制御装置２で構成される。スイッチ１はベース４に電気的に接続され、ベース４は照明器具４１を有し、スイッチ１は配給ユニット１３を有する。制御装置２はロジックユニット２４を含み、ロジックユニット２４はプログラムシーケンスを実行すると共にスイッチ１内に信号を送信する。スイッチ１が信号を受信すると、配給ユニット１３がベース４に対して開動作または閉動作を実行するように命令を出す。開動作が実行されると、配給ユニット１３がベース４に対してその照明器具４１に電気エネルギーを供給するように命令を出し、照明器具４１を発光させる。閉動作が実行されると、配給ユニット１３がベース４に対して照明器具４１への電気エネルギーの供給を停止するように命令を出し、照明器具４１の発光を停止させる。これにより、使用者が制御装置２を利用してベース４の照明器具４１の開閉を遠隔制御可能になる。【選択図】図１
0003221266.tif 000002
【実用新案登録請求の範囲】
【請求項１】
スイッチ及び制御装置で構成され、前記スイッチは商用電源及び少なくとも１つのベースに電気的に接続され、各前記ベースは照明器具を取り付けるための少なくとも１つの取付部材をそれぞれ有し、
前記スイッチは第一受信ユニットと、第一送信ユニットと、前記第一受信ユニット及び前記第一送信ユニットに電気的に接続される配給ユニットと、を有し、
前記制御装置は第二受信ユニットと、第二送信ユニットと、表示ユニットと、ロジックユニットと、を有し、且つ前記ロジックユニットは前記第二受信ユニット、前記第二送信ユニット、及び前記表示ユニットにそれぞれ電気的に接続され、前記ロジックユニットはプログラムシーケンスを実行すると共に前記第二送信ユニットを介して前記第一受信ユニットに信号を送信し、前記第一受信ユニットが前記信号を受信すると、前記配給ユニットが各前記ベースに対して開動作または閉動作をそれぞれ実行させ、前記開動作が実行されると、前記配給ユニットが各前記ベースに対してその取付部材に電気エネルギーを供給するようにそれぞれ命令を出し、各前記取付部材の照明器具を発光させ、同時に前記第一送信ユニットが前記第二受信ユニットに第一フィードバック信号を伝送させ、前記ロジックユニットが前記表示ユニットに前記第一フィードバック信号を表示させ、前記閉動作が実行されると、前記配給ユニットが各前記ベースに対してその取付部材への電気エネルギーの供給を停止するようにそれぞれ命令を出し、各前記取付部材の照明器具の発光を停止させ、同時に前記第一送信ユニットが前記第二受信ユニットに対して第二フィードバック信号を伝送し、前記ロジックユニットが前記表示ユニットに前記第二フィードバック信号を表示させることを特徴とする照明制御装置。
【請求項２】
前記信号、前記第一フィードバック信号、及び前記第二フィードバック信号として赤外線、ブルートゥース（Bluetooth）(登録商標）、ＺｉｇＢｅｅ、またはＷｉ-Ｆｉ等の伝送プロトコルがそれぞれ採用されることを特徴とする請求項１に記載の照明制御装置。
【請求項３】
前記制御装置はインターネットに接続され、前記インターネットを通して前記ロジックユニットが遠隔制御され、前記ロジックユニットが前記プログラムシーケンスを実行することを特徴とする請求項１に記載の照明制御装置。
【請求項４】
前記プログラムシーケンスは前記第一フィードバック信号及び前記第二フィードバック信号を分析して各前記ベースが実行した前記開閉動作を記録すると共に少なくとも１つのサブプログラムシーケンスに変換し、前記サブプログラムシーケンスは各前記ベースに過去に実行した前記開閉動作を直接実行させることを特徴とする請求項１に記載の照明制御装置。
【請求項５】
前記制御装置は各前記サブプログラムシーケンスにそれぞれ対応する複数のボタンを有し、そのうちの１つのボタンが押されると、前記制御装置がそのロジックユニットに対して前記１つのボタンに対応するサブプログラムシーケンスを実行させることを特徴とする請求項４に記載の照明制御装置。
【考案の詳細な説明】
【技術分野】
【０００１】
本考案は、制御装置に関し、更に詳しくは、光源を遠隔制御可能な制御装置に関する。
【背景技術】
【０００２】
大部分の住宅、工場、ビル等の場所には照明器具が装設されており、十分な光線を確保している。一般的な照明器具は壁に設置されるスイッチを使用して点消灯を行う。
【考案の概要】
【考案が解決しようとする課題】
【０００３】
しかしながら、使用者が照明器具を点消灯したい場合、スイッチが設置される場所まで行って照明器具の点消灯操作を行わなければならず、操作方法が理想的とは言えなかった。
【０００４】
上述の問題を解決するために、市場には赤外線により照明器具を遠隔制御可能な制御装置が登場した。このような制御装置は照明器具に電気的に接続される受信器及び赤外線エミッタを有し、赤外線エミッタが受信器に対して開信号及び閉信号を伝送する。使用者が照明器具の点消灯を行う場合、赤外線エミッタの照準を受信器に合わせて開信号または閉信号を伝送させるのみで照明器具の点消灯を行える。然しながら、このような制御装置は赤外線エミッタ及び受信器の組み合わせにより照明器具の遠隔制御を達成できるが、使用者が別の場所にある照明器具の制御を行う場合、例えば、リビングと浴室の照明器具を制御したい場合、使用者がそれぞれの場所まで移動して赤外線エミッタの照準を各受信器に合わせなければ照明器具の制御を行えず、操作や使用が不便であった。
【０００５】
そこで、本考案者は上記の欠点が改善可能と考え、鋭意検討を重ねた結果、合理的設計で上記の課題を効果的に改善する本考案の提案に到った。
【０００６】
本考案はこうした状況に鑑みてなされたものであり、その目的は、照明制御装置を提供することにある。すなわち、制御装置を操作することによって別々の場所にある複数のベースを制御可能にし、各ベースに位置される照明器具の点消灯を行えるようにし、使用者が移動せずに各場所の照明器具を点消灯できるようにすることで、操作の利便性を大幅に向上させる。また、本考案は更に、ロジックユニットが各種ベースの点消灯のアレンジを学習すると共に記録する設計により、操作の便利さを達成する。
【課題を解決するための手段】
【０００７】
上記課題を解決するために、本考案のある態様の照明制御装置は、スイッチ及び制御装置で構成される。前記スイッチは商用電源及び少なくとも１つのベースに電気的に接続され、各前記ベースは照明器具を取り付けるための少なくとも１つの取付部材をそれぞれ有する。前記スイッチは第一受信ユニットと、第一送信ユニットと、前記第一受信ユニット及び前記第一送信ユニットに電気的に接続される配給ユニットと、を有する。前記制御装置は第二受信ユニットと、第二送信ユニットと、表示ユニットと、ロジックユニットと、を有し、且つ前記ロジックユニットは前記第二受信ユニット、前記第二送信ユニット、及び前記表示ユニットにそれぞれ電気的に接続される。前記ロジックユニットはプログラムシーケンスを実行すると共に前記第二送信ユニットを介して前記第一受信ユニットに信号を送信する。前記第一受信ユニットが前記信号を受信すると、前記配給ユニットが各前記ベースに対して開動作または閉動作をそれぞれ実行させる。前記開動作が実行されると、前記配給ユニットが各前記ベースに対してその取付部材に電気エネルギーを供給するようにそれぞれ命令を出し、各前記取付部材の照明器具を発光させ、同時に前記第一送信ユニットが前記第二受信ユニットに第一フィードバック信号を伝送し、前記ロジックユニットが前記表示ユニットに前記第一フィードバック信号を表示させる。前記閉動作が実行されると、前記配給ユニットが各前記ベースに対してその取付部材への電気エネルギーの供給を停止するようにそれぞれ命令を出し、各前記取付部材の照明器具の発光を停止させ、同時に前記第一送信ユニットが前記第二受信ユニットに対して第二フィードバック信号を伝送し、前記ロジックユニットが前記表示ユニットに前記第二フィードバック信号を表示させる。
【０００８】
好ましくは、前記信号、前記第一フィードバック信号、及び前記第二フィードバック信号として赤外線、ブルートゥース（Bluetooth）(登録商標）、ＺｉｇＢｅｅ、またはＷｉ-Ｆｉ等の伝送プロトコルがそれぞれ採用される。
【０００９】
好ましくは、前記制御装置はインターネットに接続され、前記インターネットを通して前記ロジックユニットが遠隔制御され、前記ロジックユニットが前記プログラムシーケンスを実行する。
【００１０】
好ましくは、前記プログラムシーケンスは前記第一フィードバック信号及び前記第二フィードバック信号を分析して各前記ベースが実行した前記開閉動作を記録すると共に少なくとも１つのサブプログラムシーケンスに変換し、前記サブプログラムシーケンスは各前記ベースに過去に実行した前記開閉動作を直接実行する。
【００１１】
好ましくは、前記制御装置は各前記サブプログラムシーケンスにそれぞれ対応する複数のボタンを有する。そのうちの１つのボタンが押されると、前記制御装置がそのロジックユニットに対して前記１つのボタンに対応するサブプログラムシーケンスを実行させる。
【図面の簡単な説明】
【００１２】
【図１】本考案の一実施形態に係る照明制御装置の回路ブロックを例示する概略図である。
【図２】ユーザーが制御装置を介して各ベースを制御する際の照明制御装置の使用状態の概略図を示す。
【考案を実施するための形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１４】
以下、本考案を実施するための最良の形態を、実施例に基づいて詳細に説明する。
【００１５】
図１及び図２に示されるように、本考案に係る照明制御装置は、スイッチ１及び制御装置２で構成される。前記スイッチ１は商用電源３及び少なくとも１つのベース４に電気的に接続され、各前記ベース４は照明器具４１を取り付けるための少なくとも１つの取付部材４２をそれぞれ有する。図２に示されるように、３つのベース４を有し、且つ前記３つのベース４の取付部材４２には照明器具４１がそれぞれ装設される。
【００１６】
前記スイッチ１は第一受信ユニット１１と、第一送信ユニット１２と、前記第一受信ユニット１１及び前記第一送信ユニット１２に電気的に接続される配給ユニット１３と、を有する。
【００１７】
前記制御装置２は第二受信ユニット２１と、第二送信ユニット２２と、表示ユニット２３と、ロジックユニット２４と、を有する。前記ロジックユニット２４は前記第二受信ユニット２１、前記第二送信ユニット２２、及び前記表示ユニット２３にそれぞれ電気的に接続される。前記ロジックユニット２４はプログラムシーケンスを実行すると共に前記第二送信ユニット２２を介して前記第一受信ユニット１１に信号を送信する。前記第一受信ユニット１１が前記信号を受信すると、前記配給ユニット１３が各前記ベース４に対して開動作または閉動作をそれぞれ実行させる。前記開動作が実行されると、前記配給ユニット１３が各前記ベース４に対してその取付部材４２に電気エネルギーを供給するようにそれぞれ命令を出し、各前記取付部材４２の照明器具４１を発光させ、同時に前記第一送信ユニット１１が前記第二受信ユニット２１に対して第一フィードバック信号を伝送させ、前記ロジックユニット２４が前記第一フィードバック信号を前記表示ユニット２３に表示させる。前記閉動作が実行されると、前記配給ユニット１３が各前記ベース４に対してその取付部材４２への電気エネルギーの供給を停止するようにそれぞれ命令を出し、各前記取付部材４２の照明器具４１の発光を停止させ、同時に前記第一送信ユニット１１が前記第二受信ユニット２１に対して第二フィードバック信号を伝送し、前記ロジックユニット２４が前記第二フィードバック信号を前記表示ユニット２３に表示させる。これにより、使用者が前記表示ユニット２３により各前記３つのベース４の照明器具４１の発光の有無を確認できる。また、本実施形態では、前記信号、前記第一フィードバック信号、及び前記第二フィードバック信号として赤外線、ブルートゥース（Bluetooth）(登録商標）、ＺｉｇＢｅｅ、またはＷｉ-Ｆｉ等の伝送プロトコルがそれぞれ採用される。
【００１８】
好ましくは、前記プログラムシーケンスは前記第一フィードバック信号及び前記第二フィードバック信号に基づいて各前記ベース４がその取付部材４２に対して行った前記開閉動作を記録すると共に少なくとも１つのサブプログラムシーケンスに変換し、前記サブプログラムシーケンスは各前記ベース４が過去に実行した前記開閉動作を直接実行する。例えば、過去に前記配給ユニット１３が２つのベース４に対して前記開動作を実行させ、その照明器具４１を発光させると共に前記第二受信ユニット２１に対して前記第一フィードバック信号を伝送させ、もう１つのベース４に対して前記閉動作を実行させ、その照明器具４１の発光を停止させると共に前記第二受信ユニット２１に対して前記第二フィードバック信号を伝送させた場合、前記プログラムシーケンスが前記第一フィードバック信号及び前記第二フィードバック信号の分析を行って各前記ベース４がそれぞれ実行した動作を記録すると共にサブプログラムシーケンスに変換する。その後、前記サブプログラムシーケンスが実行された場合、前記２つのベース４に対して前記開動作を再度実行させ、前記もう１つのベース４に対して前記閉動作を再度実行させる。
【００１９】
さらに、前記制御装置２は各前記サブプログラムシーケンスにそれぞれ対応する複数のボタン（図示省略）を有する。そのうちの１つのボタンが押されると、前記制御装置２がロジックユニット２４に対して前記１つのボタンに対応するサブプログラムシーケンスを実行させ、こうして使用者が各前記ボタンを使用して前記サブプログラムシーケンスを高速に実行可能になる。また、前記制御装置２がインターネット２５に接続されると、前記インターネット２５を介して前記制御装置２が遠隔制御され、ロジックユニット２４が前記プログラムシーケンスを実行する。これにより、使用者がインターネットに接続可能な場所にいれば前記制御装置２を使用して各前記ベース４に対して前記開閉動作をそれぞれ実行させるように制御可能となる。
【００２０】
上述の構造で構成される本考案は実際の使用時に、使用者が各ベース４を本考案に係るスイッチ１に電気的に接続させるのみで取付を完成できる。使用者が各ベース４の照明器具４１を制御する場合、使用者は前記制御装置２を操作するのみでロジックユニット２４が前記プログラムシーケンスを実行し、前記配給ユニット１３が各前記ベース４に対して前記開閉動作を実行させ、各照明器具４１の点消灯の制御が可能になる。
【００２１】
前述の説明のように、本考案の長所は、従来の制御装置では制御したい照明器具がある場所に移動して赤外線エミッタの照準を受信器に合わせなければ各照明器具を制御できなかったが、本考案は各ベース４の照明器具４１を制御する場合、使用者は照明器具４１がある場所に移動せずとも制御装置２を操作して前記プログラムシーケンスを実行するのみで異なる場所にある複数のベース４を制御可能であり、各ベース４が前記開閉動作を実行して照明器具４１を点消灯させ、こうして操作時の利便性が大幅に高まる。また、本考案は前記ロジックユニット２４により前記プログラムシーケンスを実行させて各ベース４が行った開閉動作を記録させると共にサブプログラムシーケンスに変換させ、これによりロジックユニット２４が各ベース４の点消灯のアレンジを学習すると共に記録し、操作の便利さを達成する。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１  スイッチ
１１  第一受信ユニット
１２  第一送信ユニット
１３  配給ユニット
２  制御装置
２１  第二受信ユニット
２２  第二送信ユニット
２３  表示ユニット
２４  ロジックユニット
２５  インターネット
３  商用電源
４  ベース
４１  照明器具
４２  取付部材
【図１】
0003221266.tif 000003
【図２】
0003221266.tif 000004